Podtech/llm-jp-corpus-v4-ja_patent huggingface dataset:
(57)【要約】      （修正有）【課題】飛んでいる鳥の形と羽根の動きをできるだけ忠実に表現するようにしたものを提供する。【解決手段】これまでにも風で動く鳥の玩具はあったが、「モビール」という風の力で動く彫刻の技法と発泡スチロールの型ぬきの技術を組み合わせることによって本物らしい鳥の形と動きを表現することに成功した。【選択図】図１
2008237874.tif 000002
【特許請求の範囲】
【請求項１】
飛んでいる鳥の羽根の動きを「モビール」という自然の風の力で動く彫刻の技法を応用して表現する玩具
【請求項２】
羽根の可動部を２箇所に設けた玩具
【発明の詳細な説明】
【技術分野】
【０００１】  本発明は玩具に関するものであり「モビール」という自然の風の力で動く彫刻の技法と発泡スチロールの型ぬきの技術を組み合わせることによって飛んでいる鳥の羽根の動きを可能な限り忠実に表現したものである。
【技術背景】
【０００２】  「モビール」のような風で動く構造を応用した玩具は他にも見られる。また鳥の本体の素材として用いる発泡スチロールの型ぬきの技術は産業界で広く利用されている。
【発明の開示】
【発明が解決しようとする課題】
【０００３】  本発明は飛んでいる鳥の形と動きをできるだけ忠実に表現することを課題とする。
【課題を解決するための手段】
【０００４】  この課題を解決するための請求項１の発明は発泡スチロールの型ぬきの技術と「モビール」の風の力で動く技法を組み合わせることによって解決するものである。【０００５】  請求項２の発明は羽根の可動部分をもう一箇所、羽根の翼角の部分に増やしたことに特徴がある。可動部が増えたことにより、羽根の動きが一段と自然な動きに近づいた。
【発明の効果】
【０００６】  本発明により、まるで本物の鳥が飛んでいるかのような形、動きを表現することができる。可動部を増やした事によって微風にも反応しやすく、また動きもなめらかになり自然の風を捉える動きは変化に富んで生き生きとした動きを表現している。
【発明を実施するための最良の形態】
【０００７】  図１は発泡スチロールでつくった鳥の模型を「モビール」の技法を応用して吊り下げ、正面から描いた場面である。全体の構造は本体部と吊り部に分けることができる。本体部は発泡スチロール吊り部はプラスチック製の細いパイプと針金が適している。【０００８】  図２は羽根の可動部をもう一箇所、羽根の翼角部に増やした場面である。それに伴い吊り部も一段多くなる。【０００９】  図１、２は説明をわかりやすくするために吊り部を強調して描いてあるが実際は吊り部はほとんど見えず、本体だけが飛んでいるように見える。【００１０】  本発明に係る玩具は、工業的に量産する事が可能であるため、産業上の利用可能性を有する。
【図面の簡単な説明】
【００１１】
【図１】  発泡スチロールでできた鳥の模型を「モビール」の技法を応用して吊り下げ正面から描いた場面
【図２】  羽根の可動部を二箇所に設けた模型
【符号の説明】
【００１２】１  針金
２  プラスチック製のパイプ
３  羽根
４  可動部
５  胴体
６  翼角部
【図１】
2008237874.tif 000003
【図２】
2008237874.tif 000004
(57)【要約】      （修正有）【課題】従来のパイプ椅子は、直接座る上部の部分だけビニール等のクッション性のある部材を使用している。このため、長時間会議などに座ると腰への負担が大きい。これらを考慮し、クッションを付けることにより、少しでも楽に長時間座れるパイプ椅子を提供する。【解決手段】足の外径に合うパイプをはめ込みバネ１を入れ、貫通ピン２を貫通させる。上からの重みでバネ１が縮んでくるので、それに連動するようにピン移動縦穴３を長くする。【選択図】図３
2008237871.tif 000002
【特許請求の範囲】
【請求項１】
クッション性を高める為、足にバネを挟み込んだパイプ椅子。
【発明の詳細な説明】
【技術分野】
【０００１】  この発明は、一般に使用されているパイプ椅子に関するものである。
【背景技術】
【０００２】  従来パイプ椅子は、直接座る上部の部分だけビニール等のクッション性のある部材を使用している。
【発明の開示】
【発明が解決しようとする課題】
【０００３】  上述の如く、従来の椅子では長時間会議などに座ると腰への負担が大きい。【０００４】  本発明は少しでも楽に長時間座れるようにすることにある。
【課題を解決するための手段】
【０００５】  上述の目的を達成する本発明のパイプ椅子は足の部分にバネを挟み、体の重みをバネで吸収しクッション性を高める。
【発明の効果】
【０００６】  以上、説明したように本発明によれば長時間座ってもバネのクッションで腰への負担が少ない。又、急に座った時にもクッションが大きいので腰への衝撃も少ない。
【発明を実施するための最良の形態】
【０００７】  以下、本発明の実施の形態を図面に基づき説明する。【０００８】  パイプ椅子には［図１］と［図２］のタイプがある。まず［図１］のタイプでは［図３］のように足の外径に合うパイプをはめ込み１のバネを入れ２のピンを貫通させる。上からの重みでバネが縮んでくるので、それに連動するようにピン穴を３のように長くする。【０００９】［図２］のタイプでは［図４］のように椅子の足の途中でバネを入れるので４のピン穴も貫通させ椅子を持ち上げた時に脱落しないようにする。【０００１０】  この構造にすればバネの取替えは容易に出来る。
【図面の簡単な説明】
【０００１１】
【図１】      タイプ１の椅子
【図２】      タイプ２の椅子
【図３】      タイプ１の椅子の本発明部分
【図４】      タイプ２の椅子の本発明部分
【符号の説明】
【０００１２】    １      バネ
２      貫通ピン
３      ピン移動縦穴
４      貫通ピン
【図１】
2008237871.tif 000003
【図２】
2008237871.tif 000004
【図３】
2008237871.tif 000005
【図４】
2008237871.tif 000006
(57)【要約】【課題】寝たきりの被介護者の介護において、１人では困難なオムツ換えや体位変換が１人で楽にできる上に労力が軽減でき、さらに被介護者にも安全かつ優しい介護ができる布製品を提供する。【解決手段】被介護者の下に敷く大きめの布（１）の左右に、ベッドの柵などにかけるＳ字フックを取り付ける位置を調整するための輪が連なった紐（５）をつける。さらに大きめの布（１）のうえに小さめの布（２）を左右に各１枚ずつ中央側の短辺を縫い付け、小さめの布（２）の反対の辺にはこの２枚が中央でくっつくようにマジックテープ（３）をつけて、被介護者の体を小さめの布（２）で巻いて体を安定させるようにした。ベッドの柵にかけたＳ字フックにもう片方のＳ字フックをかけることで体が横に向くため体位変換が簡単となり、１人でオムツ交換もできる。また、小さめの布（２）の左右にロングポケット（６）を縫いつけファスナー（７）で開閉することによって、腕が楽に出し入れできるようにした。【選択図】図１
2008237855.tif 000002
【特許請求の範囲】
【請求項１】
大きめの布（１）の左右につけたＳ字フックを取り付ける位置を調整するための輪が連なった紐（５）へＳ字フックをつけて、左右を同一方向のベッドの柵などにかけることによって、被介護者の体位変換、オムツ交換を補助する介護用布製品。
【請求項２】
小さめの布（２）の左右をあわせて身体の前でマジックテープ（３）でとめることにより、被介護者の身体を安定させる役目の布を設けた請求項１に記載の介護用布製品。
【請求項３】
ロングポケット（６）に被介護者の腕を入れて、ファスナー（７）で閉じることにより、出し入れがしやすく、腕を優しく固定できるロングポケットを設けた請求項１に記載の介護用布製品。
【発明の詳細な説明】
【技術分野】
【０００１】  本発明は、オムツ交換や、床ずれを防ぐための体位変換が１人では困難であった点を解消し、やむを得ない場合でも拘束帯を使用せず、幅のあるロングポケットに腕を入れることで圧迫感もなく、優しく腕を固定できるようにしたものである。
【背景技術】
【０００２】  従来は、オムツの交換や体位変換を補助し、腕を優しく固定する要件を兼備えた用品はなかった。【０００３】
【非特許文献１】「福祉用具カタログ  あっぷる」、ホームケア・ジャパン株式会社、２００６年１２月作成、２２頁から２５頁
【非特許文献２】「福祉用具カタログ  あっぷる」、ホームケア・ジャパン株式会社、２００６年１２月作成、６１頁
【発明の開示】
【発明が解決しようとする課題】
【０００４】  オムツの交換時には被介護者を横に向け、背中を手で支えながら交換しており、１人では困難であった。また体位変換には被介護者を横に向け、背中に枕や座布団などをあてて向きを固定していた。さらに点滴等でやむを得ない場合には拘束帯により、被介護者の手などの身体を抑制していた。本発明は、これらの課題を解消するためになされたものである。
【課題を解決するための手段】
【０００５】  被介護者の下に敷く大きめの布（１）の左右に、ベッドの柵などにかけるＳ字フックを取り付ける位置を調整するための輪が連なった紐（５）をつける。さらに大きめの布（１）のうえに小さめの布（２）を左右に各１枚ずつ中央側の短辺を縫い付け、小さめの布（２）の反対の辺にはこの２枚が中央でくっつくようにマジックテープ（３）をつけて、被介護者の体を小さめの布（２）で巻いて体を安定させるようにした。ベッドの柵にかけたＳ字フックにもう片方のＳ字フックをかけることで体が横に向くため体位変換が簡単となり、１人でオムツ交換もできる。また、小さめの布（２）の左右にロングポケット（６）を縫いつけファスナー（７）で開閉することによって、腕が楽に出し入れできるようにした。
【発明の効果】
【０００６】  被介護者の体を固定できることで、１人では困難であったオムツ交換や体位変換をやり易くした。しかも、介護従事者の労力が軽減できる。また被介護者にとっても安全であり、優しく介護ができる。
以下、本発明の実施の形態を説明する。
（イ）大きな布（１）の左右に、Ｓ字フックを取り付ける位置を調整するための輪が連なった紐（５）をつける。
（ロ）大きめの布（１）の中央から小さめの布（２）を左右に各１枚ずつ縫いつける。
（ハ）小さめの布（２）の縫いつけていない側の端に身体の前であわせられるようにマジックテープ（３）をつける。
（ニ）小さめの布（２）の大きめの布と小さめの布の縫い付け線（４）にロングポケットを縫い付け、大きめの布と小さめの布の縫い付け線（４）の反対側にファスナーを縫いつける。
【産業上の利用可能性】
【０００７】  本発明の介護用布製品によって、自分で寝返りができない人たちや、無意識に手でオムツに触ったり、点滴を抜く等、被介護者の事故防止に役立てる介護用布製品を提供できるものである。
【図面の簡単な説明】
【０００８】
【図１】  本発明の介護用布製品の実施状態を示した説明図である。
【図２】  本発明の介護用布製品の使用状態を示した説明図である。
【符号の説明】
【０００９】  （１）  大きめの布
（２）  小さめの布
（３）  マジックテープ
（４）  大きめの布と小さめの布の縫いつけ線
（５）  Ｓ字フックを取り付ける位置を調整するための輪が連なった紐
（６）  ロングポケット
（７）  ファスナー
【図１】
2008237855.tif 000003
【図２】
2008237855.tif 000004
(57)【要約】【課題】  ドリップバッグでコーヒーなどを入れる際、お湯を少しずつドリップバッグに落とす事を目的とした、ドリップバック用水滴落下補助器具に関するものである。【解決手段】  カップ部本体底に穴を設け、カップ部本体下に脚を設けたことを特徴とするドリップバック用水滴落下補助器具。【選択図】図２
2008237860.tif 000002
【特許請求の範囲】
【請求項１】
カップ部本体底に穴を設け、カップ部本体下に脚を設けたことを特徴とするドリップバック用水滴落下補助器具。
【発明の詳細な説明】
【技術分野】
【０００１】  本発明は、ドリップバッグでコーヒーなどを入れる際、お湯を少しずつドリップバッグに落とす事を目的とした、ドリップバック用水滴落下補助器具に関するものである。
【背景技術】
【０００２】  従来、ドリップバッグでコーヒーなどを抽出する際、やかんやポットに入ったお湯を少しずつドリップバッグに落としていた。
【発明が解決しようとする課題】
【０００３】  そのために、次のような問題点があった。
（イ）お湯を少しずつ落とす必要があるため、コーヒーなどを抽出し終わるまでずっとついていなければならなかった。
（ロ）お湯をドリップバッグに注ぎいれる早さで抽出されたコーヒーなどのうまさが変わるため、入れ終わった時点でうまさにばらつきが生じやすかった。
本発明は以上の問題点を解決しようとするものである。
【課題を解決するための手段】
【０００４】  本体カップ部の底に、一定量のお湯を落とすための穴を設け、カップ部の下にはコーヒーカップの上に安定してのせておくための脚を設ける。以上を特徴とするドリップバック用水滴落下補助器具である。
【発明の効果】
【０００５】  ドリップバッグをセットしたコーヒーカップの上に本体を置き、コーヒーカップの容量に応じた必要量のお湯を本体カップ部に一度に注ぎ入れることで、カップ部底に設けた穴からお湯が少しずつドリップバッグに落ちるので、お湯が落ち切ったときにはコーヒーなどがおいしく抽出されている。お湯を一度に注ぎ入れた後はその場を離れることができ、カップ部底に設けた穴によりお湯の落ちる早さが決まるのでうまさのばらつきが生じにくい。
【発明を実施するための最良の形態】
【０００６】  以下、本発明の実施の形態を説明する。
（イ）本体カップ部（１）の底に、穴（２）を設ける。
（ロ）本体カップ部の下に、脚（３）を設ける。
（ハ）本体カップ部の横に、取っ手（４）を設ける。
【図面の簡単な説明】
【０００７】
【図１】  本発明の側面図である。
【図２】  本発明の使用状態を示す側面図である。
【符号の説明】
【００８】  １  カップ部本体
２  穴
３  脚
４  取っ手
５  ドリップバッグ
６  コーヒーカップ
【図１】
2008237860.tif 000003
【図２】
2008237860.tif 000004
(57)【要約】【課題】  幼児等が靴を一人で履くことが出来ないという不都合を解決すること。【解決手段】  かかと付近にマジックテープを設けた靴下３を着用し、靴底のかかと付近にマジックテープを設けた、かかと部分の無い履物１を履くことにより、この課題を解決する。【選択図】図４
2008237854.tif 000002
【特許請求の範囲】
【請求項１】
靴底の足裏が接着する部分に、マジックテープの凸部（凹部）を設けた、かかと部分の無い履物
【請求項２】
靴下の足裏面にマジックテープの凹部（凸部）を設けた靴下
【発明の詳細な説明】
【技術分野】
【０００１】  本発明は、履物に関するものであり、靴底の足が接着する部分（かかと付近）にマジックテープの凸部（凹部）を設け、また、靴下の足裏部（かかと付近）にマジックテープの凹部（凸部）を設け、そのマジックテープ付靴下を着用してマジックテープ付のかかと部分の無い履物（サンダル様のもの）を履いたときに、かかと部分が足裏部のマジックテープにより固定されるため、歩行しやすく、かかと部分が無いため、幼児でも履きやすい。
【背景技術】
【０００２】  従来から、履き易く歩行しやすい幼児用の靴が考案されている。この例として、特許文献１に開示されているものがある。
【特許文献１】  特許公開２００３−３３９４０８
【発明の開示】
【発明が解決しようとする課題】
【０００３】  しかし、従来のかかと部分のある靴では、開口部が広くても、幼児等が一人で履くのは困難であり、大人が幼児等に靴を履かせるのも手間がかかる。また、従来のかかと部分の無いサンダルでは、足のかかとと靴底が歩く度に離れることから、脱げ易く、走るのには適さない。
【課題を解決するための手段】
【０００４】  この課題を解決するための請求項１の発明は、靴底の足裏が接着する部分にマジックテープの凸部（凹部）を設けたことを特徴とする、かかと部分が無い履物である。かかと部分がないため幼児でも履きやすく、請求項２の発明であるマジックテープの凹部（凸部）を設けた靴下を着用し、その靴を履くことにより、かかと部分を固定できる。【０００５】  また、請求項２の発明は、靴下の足裏面にマジックテープの凹部（凸部）を設けることを特徴とする、靴下である。この靴下を着用し、請求項１の発明である靴底の足裏が接着する部分にマジックテープの凸部（凹部）を設けた履物を履くことにより、履物と足のかかと部分とを接着、固定できる。
【発明の効果】
【０００６】  本発明により、幼児等が一人で靴を履くことが可能となり、大人が幼児等に靴を履かせなければならないという手間を省くことができる。また、かかとがマジックテープで固定されるため、歩きやすく、走ることも容易である。幼児に限らず、高齢者等、腰を曲げて靴を履くことが困難な人にも有益である。
【発明を実施するための最良の形態】
【０００７】  図４は、靴下の足裏部にマジックテープの凹部（凸部）を設けた靴下を着用し、靴底の足が接着する部分に、マジックテープの凸部（凹部）を設けた、かかと部分の無い履物を履いたときの断面図である。同図に示すように、かかと部分が無いため履き易く、かかと部分がマジックテープにより固定されるため、歩き易く、走ることも容易である。【０００８】  マジックテープを設ける場所は、足裏部であればよく、かかと部分に限らない。また、マジックテープの形や数は、問わない。
【産業上の利用可能性】
【０００９】  本発明に係る靴及び靴下は、工業的に量産することが可能であるため、産業上の利用可能性を有する。
【図面の簡単な説明】
【０００１０】
【図１】  靴底の足裏が接着する部分に、マジックテープの凸部（凹部）を設けた、かかと部分の無い履物を、側方から見た図である。
【図２】  靴底の足裏が接着する部分に、マジックテープの凸部（凹部）を設けた、かかと部分の無い履物を、上方から見た図である。
【図３】  靴下の足裏面にマジックテープの凹部（凸部）を設けた靴下を、下方から見た図である。
【図４】  靴下の足裏部にマジックテープの凹部（凸部）を設けた靴下を着用し、靴底の足裏が接着する部分に、マジックテープの凸部（凹部）を設けた、かかと部分の無い履物を履いたときの断面図である
【符号の説明】
【０００１１】  １  マジックテープの凸部（凹部）
２  マジックテープの凹部（凸部）
３  靴底の足裏が接着する部分に、マジックテープの凸部（凹部）を設けた、かかと部分の無い履物
４  靴下の足裏面にマジックテープの凹部（凸部）を設けた靴下
【図１】
2008237854.tif 000003
【図２】
2008237854.tif 000004
【図３】
2008237854.tif 000005
【図４】
2008237854.tif 000006
(57)【要約】      （修正有）【課題】義歯清浄の時、不快感を少なくし、上下ブラシによる短時間で義歯のぬめりや汚物を浄化水を交えて、表裏を同時に清浄化できる義歯清浄器を提供する。【解決手段】義歯１３を上下ブラシ２，３の間で廻転させながら、浄化水を交えて前後に移動する。義歯を回転させることにより、義歯１３がブラシ２，３間に挿入し易く、又義歯全体を隈なく清浄化出来る様にしたものである。【選択図】図１
2008237856.tif 000002
【特許請求の範囲】
【請求項１】
上下にブラシを２列に配置し、上下のブラシの先端が触れ合う様に取り付ける。義歯台に乗せた義歯を、上下のブラシの中間をラックとピニオンを使い、ハンドルで義歯台を前後と正逆転を繰り返しながら移動する。上下ブラシは浄化水と共に、義歯の動きに合わせて右左に靡いて義歯を擦り磨く。義歯の表裏に附着した、ぬめり、汚物を表裏同時に取り除く。短時間で清浄することを目的とした、ブラシに依る、義歯清浄器である。
【発明の詳細な説明】
【技術分野】
【０００１】  本発明は義歯に付着した、ぬめり、又は食べ残り粕など汚物の清浄を目的としたものである。
【背景技術】
【０００２】  従来は洗面場に於いて、義歯を手で持ちながら、歯ブラシ又は布や水で洗いながら清浄するのが一般的である。
【発明の開示】
【発明が解決しようとする課題】
【０００３】  義歯を使用されている方は、清浄を余儀無くされます。病床に臥されて居る方は介護人に依頼せねばならないが、介護人の不快感を少なくし、しかも急ぎの時、簡単に手早く清浄することを目的としたものである。
【課題を解決しようとする手段】
【０００４】  この課題を解決するための発明は、上下にブラシを配置し、上下ブラシの中間を、義歯台に義歯を置き、義歯台を前後に移動と同時に廻転させ適宜な早さで水を交えて、往復運動を手動で繰り返す。義歯の表裏を同時に清浄することが出来る。
【発明の効果】
【０００５】  義歯の表裏面のぬめりと残存汚物を、簡単な操作で手早く処理することが出来る。
【発明を実施するための最良の形態】
【０００６】  ハンドルを前後に移動させると、ラックにてピニオンが廻される。義歯台に乗った義歯は、廻りながら上下のブラシ面に無理なく挿入され、水を交えて、義歯の表裏を隈なく清浄する。ハンドルを数回、前後運動すればよい。
【産業上の利用可能性】
【０００７】  本発明に係る義歯清浄器は、高齢化が進むと共に、義歯の方が多くなり、益々利用価値も増大することである。社会的公算も大きくなり、産業的量産化は容易に出来る。
【図面の簡単な説明】
【０００８】
【図１】  義歯台とブラシの配置側面図
【図２】  義歯の廻転移動を示す上面図
【図３】  ブラシと義歯台軸の構成図
【図４】  放射形義歯受台上面図
【図５】  ハンドル上面図
【符号の説明】
１    上ブラシ取付枠
２    上ブラシ
３    下ブラシ
４    コの字形スライド案内枠
５    廻転義歯台と縦軸は同体
６    ラック
７    ピニオン
８    ハンドル
９    ハンドル送行用リング
１０  ボス付スライド板
１１  外枠
１２  ハンドル送行用空間
１３  義歯
【図１】
2008237856.tif 000003
【図２】
2008237856.tif 000004
【図３】
2008237856.tif 000005
【図４】
2008237856.tif 000006
【図５】
2008237856.tif 000007
(57)【要約】【課題】    歩行又は走行時には必ず足の踵部分が上がり靴の踵部分と足の踵部分に隙間ができ、そのために靴脱現象が起こる、それを防止し歩行又は走行の安定を提供する。【解決手段】  足の甲部分Ａから靴１の踵部分５へ筒袋状４を装着し、その中へ弾力性の有るバンド２を通し入れ、歩行又は走行時に足の甲部分Ａが上がればバンド２を介して靴１の踵部分５も引き上がり足の甲の上部分Ａでバンド２の両端を引き適度に靴１を足へ締め付けバンド２の両端をマジックテープ３等で止める。よって靴の踵部分５と足の踵部分に隙間が出て起こる靴脱現象を防止し足の安定を構成した。【選択図】図１
2008237859.tif 000002
【特許請求の範囲】
【請求項１】
靴（１）の足の甲部分（Ａ）から靴（１）の踵部分（５）と足の土踏まず部分へ筒袋状（４）を固定装着しその中へバンド（２）を通し歩行・走行時に足の甲部分（Ａ）が上がるとバンド（２）を介し靴（１）の踵部分（５）を引上げバンド装備で靴脱を防止した靴脱防止靴。
【発明の詳細な説明】
【発明の詳細な説明】
【技術分野】
【０００１】  本発明は、一般者，スポーツ競技者，登山者，作業者，高年齢者，幼児等が歩行，走行時に使用する靴に関する。
【背景技術】
【０００２】  従来、靴を履く時には、靴脱防止のために靴を紐又はマジックバンド等で足の甲部分のみで靴を締め付け固定させている、又、靴脱防止のために足の踵が上がると靴の踵部も上がる様に、靴の外郭部分をデザイン等で工夫・補強をされている。【０００３】  また、歩行・走行時には足の各指の関節部分から屈折し曲がり歩行・走行をする、その時には必ず足の踵部分も上がる、そのため靴の踵部分と足の踵部分との密着度がなくなり隙間ができ、靴脱げ現象が起こると言った問題点があった。
【発明が解決しようとする課題】
【０００４】  このような従来の問題点を解決するために、本発明は歩行・走行時には必ず足の踵部分・甲部分（Ａ）は上下運動をする、その足の踵部分が上がる動作時に靴の踵部分と、足の踵部分の間に隙間ができる、その隙間ができる上下運動を弾力性バンドを介し、靴の踵部分を引上げる力へと活用し、靴の踵部分と足の踵部分との隙間を減少させ密着度を保ち歩行や走行を一層に安定させ靴脱防止を課題とし目的とした。
【課題を解決するための手段】
【０００５】  従来の問題点を解決するために、靴の足の甲部分から、靴の踵部分へ筒袋状を固定装着し、更に足の土踏まずの部分へ筒袋状を固定装着し、その中へ弾力性のバンドを通し、更にバンドを片側と同じく装着した、筒袋状の中へ通し入れ、バンドの両端を引き締め付け、マジックテープ等で足を巻く様に止め、足の甲上部の、靴の足保護用のマットの上部でバンドを装着する。
【作用】
【０００６】  上記のように本発明は歩行・走行時に足の踵部分が上がった時でも，足の甲部分がバンドを介し、靴の踵部分を引上げ足と密着度を保つ事で靴脱が防止でき、歩行又は走行時に足元に一層の安定感が得られ、足首や踵等の部分を保護し捻挫等の傷害等も防止できる作用がある。
【発明を実施するための最良の形態】
【０００７】  本発明の実施の形態について図面を参照して説明をすると、図１において靴１の足の甲部分（Ａ）より斜下の靴１の踵部分５へ筒袋状４を固定装着しその筒袋状４の中へバンド２を通し足を巻く様に止める，【０００８】  図２おいて足の甲部分より足の土踏まず部分に装着した筒袋状４の中へバンド２を通し、更に片側の筒袋状４へバンド２を通し、足の甲部分Ａの部分でバンド２の両先端を出し、足へ靴を締め付け、靴の足の保護マット６の上部でマジックバンド等で止める。【０００９】  図３は靴１の足の挿入口を表し筒袋状４の中の弾力性バンド２が足を締め付け固定装着した状態を示した。又、３図では弾力性バンド２を靴１の内面側より装置した状態を示したが、靴の外郭外面側からでも良く両面は同じ作用である。【００１０】  よって靴の内面側から、又は外面側からと区別する事なく足を巻く様にして装備したバンド２で足の甲部分Ａを上げた時に、そのバンド２を介して靴１の踵部分５も同時に引上がり、靴１の踵部分５が足の踵部分との密着度を保つための実施の形態である。
【発明の効果】
【００１１】  本発明は、以上説明したような構成がされているので、以下に記載されるような効果が得られる。
【００１２】  弾力性バンドを靴の内部の内側部分へ装備した結果、足の踵部分が上がると同時に靴の踵部分も引き上り、足の踵部分への密着度も保ち歩行又走行中の靴脱が防止され、靴を履いた時の足元に一層の安定が得られ足首、踵部分等も保護され捻挫等の傷害等からも回避される。
【００１３】  また、スポーツ競技や登山・作業等に於いても靴と足との密着度が増す事で足元が安定し、靴脱・傷害等の不安からも回避ができる。
【図面の簡単な説明】
【図１】  左足の靴の全体の斜図である。
【図２】  左足の靴の全体の平面図である。
【図３】  靴の足の挿入口の略図
【符号の説明】
Ａ足の甲部分。
１靴本体。
２弾力性バンド。
３バンドの両先端のマジックバンド。
４バンドを通す筒袋状部分。
５靴の踵部分。
６靴の足保護マット。
７靴の紐。
８足の敷底。
９靴底。
【図１】
2008237859.tif 000003
【図２】
2008237859.tif 000004
【図３】
2008237859.tif 000005
(57)【要約】      （修正有）【課題】病気、怪我、骨折等で、病院や自宅で入浴の時、手足等湯、水、細菌等が入らないように用いる入浴カバーの形状はとても作業がしにくく、入浴時にビニール製の袋をテープで止めたり、ビニールを巻かなくてはいけなかった。【解決手段】ビニール製の入浴用カバー本体１の端に水を通さないウレタン系、シリコン系等の素材から成る特殊収縮バンド２を付ける。収縮する特殊素材の働きで、入浴前は作業がしやすく、また一人でもできる。入浴時は、湯、水、細菌がシャットアウトできる。【選択図】図１
2008237867.tif 000002
【特許請求の範囲】
【請求項１】
入浴時に簡単に、入浴カバーの作業が出来ることを特徴とする。
【請求項２】
前記、カバー自体は水を通さない。入浴カバーは端に収縮特殊素材で固定することを特徴とする請求項１記載の入浴用カバー。
【発明の詳細な説明】
【技術分野】
【０００１】  この発明は、病気、怪我、骨折などの時に用いる入浴用カバーの形状に関する。
【背景技術】
【０００２】  従来の病院等の入浴の際用いる、入浴カバーの形状は、未だかつて使用されていない。だが、図１の示すように、特殊素材（水を通さない）が設けられたものである。
【発明の開示】
そこでこの発明は、作業がしやすく、よりスピーディにできることを提供することを課題とする。
【発明が解決しようとする課題】
【０００３】しかしながら、以上の技術によれば、入浴時に毎回毎回ビニール袋や、ビニール製のものをテープなどで止めなくてはいけなく、特に症状が悪いときには、一人での作業が困難であった。
【課題を解決するための手段】
【０００４】  以上の課題を解決するために、第一発明は、腕、足等の各所に特殊素材を使用することを特徴とする入浴用カバーである。
また、第二発明は、入浴用カバーの端に収縮特殊素材（水を通さないウレタン系、シリコン系等）を設けたことを特徴とする。
【発明の効果】
【０００５】  第一発明、第二発明によれば、入浴用カバーの端に収縮特殊素材を設けたことによって、入浴前の作業が簡単にでき、スピード化され、清潔である。
【発明を実施するための最良の形態】
【０００６】  この発明の一実施形態を、図１に示す。
この入浴用カバーの本体は、ビニール製であり、この本体１、足、腕のカバーの端に特殊素材が一体的設けられている。この端には、特殊素材の収縮するバンドが設けられている。【０００７】「実施形態の効果」
この実施形態によれば、収縮する特殊素材の働きで、入浴前は作業がしやすく、また一人でもできる。入浴時は、湯、水、細菌がシャットアウトできる。【０００８】「他の実施形態」
図１の実施形態では、端は、収縮する特殊素材であったが、他の実施形態では、ゴム製のもの、マジックテープつきバンド、ホック付バンドなどの形式を設けたものでも良い。
【図面の簡単な説明】
【０００９】
【図１】この発明の一実施形態を示す斜視図である。
【図２】従来技術を示す斜視図である。
【符号の説明】
【００１０】１、入浴用カバー本体
２、入浴用カバー端の特殊素材バンド
【図１】
2008237867.tif 000003
【手続補正書】
【提出日】平成19年6月25日(2007.6.25)
【手続補正１】
【補正対象書類名】図面
【補正対象項目名】図２
【補正方法】追加
【補正の内容】
【図２】
2008237867.tif 000004
(57)【要約】【課題】  軽くて、簡単に膨らませる子供用のいすを提供することにある。【解決手段】  可塑性のシートで構成された空気で膨らむ子供用のいすに空気ポンプを突起状に内蔵一体化し、空気ポンプを幼児の前ずれ防止にも使えるように構成した。【選択図】図１
2008237868.tif 000002
【特許請求の範囲】
【請求項１】
１）    可塑性のシートを中空に構成し子供用のいすを構成する
２）    その座部前方に幼児の前ずれ防止用にシート製突起を一体に設ける
３）    その突起の上端に空気取入孔を有する空気弁を設ける
４）    突起の内下部にも空気弁を設ける
以上のように構成し前ずれ防止の突起に空気ポンプの機能を持たせ全体を一気室で構成し突起を収縮させることで空気の充填が出来ることを特徴とする空気で膨らませる子供用のいす。
【発明の詳細な説明】
【発明の詳細な説明】
【技術分野】
【０００１】  この発明は、ビニールやポリウレタン等可塑性のシートで構成され空気で膨らませる子供用のいすに関するものである。
【背景技術】
【０００２】  従来、空気で膨らませるいすは存在したが空気入れを用意するという不便さがあった。また、空気室が分かれ、それぞれの空気注入が煩雑であった。さらに口からの空気注入には、かなりの力と時間を費やした。
【発明が解決しようとする課題】
【０００３】  本発明は、その欠点を除いて、軽量で移動に便利であること、さらに使用する際、空気注入方法を簡単に尚且つ衛生的にできるよう開発しようとするものである。
【課題を解決するための手段】
【０００４】  いま、解決手段を図を追いながら説明すれば
（イ）シートを中空にし、いす状に形成し、
（ロ）座部の前部に幼児の前ずれ防止用に２の突起を一体に設ける。
（ハ）その上部に空気取入孔を有する１の空気弁を設ける。
（二）その突起内部下部にも逆止弁を有する空気弁を設ける。
以上のように構成しシートで出来た伸縮性の突起２を手で上下させることで、空気ポンプの役割を持たせる。突起を含め全体を可塑性のあるシートで１気室に構成すれば、このポンプを手で上下させるだけで空気が充填され子供用のいすが出来、さらに突起２は幼児が座った際の前ずれの防止にも役立ち安全である。
【発明の実態の形態】
【０００５】  本発明は、以上のような構造で、空気排出時は図３の空気弁の係止部１４を押し下げる。なお、空気栓７を図２のようにさらに別に設け空気の排出に使用することが望ましい。空気栓７は一般的な空気ビニール玩具や浮き輪等に使用される栓である。空気注入時は空気栓７の蓋をしてから空気弁１の蓋１０をあけ、２を上下に動かすことで、空気が注入され、本器を簡便に膨らませることができる。
【０００６】  空気ポンプの構成は、弁を上下２箇所以上に有すれば良く、本体突起２と併せて全体を１気室の構造とすることで本体の形成が迅速かつ容易となる。図３の突起上端の空気弁を説明すると、１３の弁上部を突起２の先端の上部表面に穴を開けて溶着させる。９の空気取入孔は中央に貫通孔を一つ有し、その回りにも環状に幾つかの貫通孔を有する。中央の貫通孔に図５の可動弁を係止部１４によって吊るした構造となっている。図５の可動弁１１は柔らかいシート状でゴムや樹脂などで構成される。上部から取り込まれた空気は可動弁１１を押し下げ内部に空気を流入させる。ポンプ内底下部に取り付けた図４の空気弁も同様である。一旦、取り込まれた空気は内部から図４の可動弁１１‘を押し上げ、空気弁下部表面の１２に密着するので空気洩れは起こらない。なお、図３と図４は基本的に同一構造で、図３は蓋１０を一体に有するに過ぎない。１２の空気弁下部は上部に湾曲しておりゴムやシートを打ち抜きした可動弁１１との密着を防ぎ表面積を広くしている。
【０００７】  空気ポンプの構成は空気弁としては、上下一対であれば良い。また、空気弁の構造には前記以外にも様々な形式が考えられる。上部に敷設する弁として図６も考えられる。この空気弁は本体１６の下部に可動式の弁１７を有し、蓋１５を有する。また、図８は別の空気ポンプの内部構造を表したもので上部に空気弁１を有し、下部に発泡弾性体１９とその係止部１８のシートで構成し側部にシートを筒状にした２２の弁を有する。１８より下の部分は空気室内部に包合されて露出していない部分である。筒状のシート２２は空気流入時には筒状に広がるが、その後は気室の内部空気圧によって潰され空気の排出は止まる。空気ポンプの構造はスポンジを介さなくてもよく、図７の如く下部にチューブ状のシートを空気弁とし係止部１８の下に直接つなげた内部構造でも構わない。図７ではチューブの貼り付きを防止するために下部にスリットを設けたが、穴を片側に開けても構わない。また、チューブ内表面に砂状模様にシボを有しておくことも貼り付けの防止に有効である。
【０００８】  以上のように本発明は空気で膨らんでいるので使用感は柔らかく、しかも折り畳めば軽く場所も取らずに移動にも簡便である。また、空気入れが本体と一体になっているので、使用時も楽でありいつでも使うことが出来る。
【発明の効果】
【０００９】  空気ポンプが本体と一体に形成されているので、空気入れを使用することなく、また、口から空気を注入することなく、簡単に且つ衛生的に場所を選ばず子供用のいすを膨らませることが出来る、使用後は空気を抜けば後片付けも容易であり、使用感もソフトである。
【図面の簡単な説明】
【００１０】
【図１】  本発明の子供用いすの外観斜視図である。
【図２】  本発明の子供用いすの背面図である。
【図３】  突起上端の空気弁の斜視図。
【図４】  突起内部の下部空気弁の斜視図。
【図５】  弁本体の斜視図
【図６】  他の形態の空気弁の斜視図
【図７】  チューブ状の内部弁
【図８】  他の形態の空気ポンプの内部構造
【符号の説明】
【００１２】  １は空気弁
２は突起
３はいすのアーム上部
４は座部
５はアームの側面
６はヘッドレスト
７は空気栓
８はいすの下部
９は空気取入孔
１０は空気弁の蓋
１１は可動弁
１２は空気弁下部
１３は空気弁上部
１４は弁本体の係止部
１５は空気弁の蓋
１６は空気弁の本体
１７は可動弁
１８はスポンジ等弾性体の係止部
１９はスポンジなどの発泡弾性体
２０は空気ポンプの外壁
２１はチューブ状の内部弁で下部に切り込みがある
２２はチューブ状の内部空気弁
【図１】
2008237868.tif 000003
【図２】
2008237868.tif 000004
【図３】
2008237868.tif 000005
【図４】
2008237868.tif 000006
【図５】
2008237868.tif 000007
【図６】
2008237868.tif 000008
【図７】
2008237868.tif 000009
【図８】
2008237868.tif 000010
(57)【要約】      （修正有）【課題】茹で麺機は高価でしかも大量の貯湯を必要とするのでラーメン専業店で、しかも繁盛店でないとなかなか導入出来ない。強力なバーナーを使用しても鍋に麺を投入した後の立ち上がりが遅いので１度に大量の麺は茹でることが出来ない。まして一般家庭では普通の家庭用コンロと鍋の組み合わせなので到底良い状態で麺は茹で上がらない。【解決手段】本体１とザル６を併用して麺をこのザル６の中で茹でる。このことにより麺は鍋４の中央付近即ち沸騰水噴出口３上で茹でることが出来る。麺投入により麺で冷やされた温水５は隅に有る補水口２を通り熱源７で熱せられ沸騰水噴出口３へと連続的に回転する。鍋４の底全面を熱源７で熱せられた温水は中央にある狭い沸騰水噴出口３に集められるので、沸騰水噴出口３からは熱湯が勢い良く噴出しこの付近の温度の立ち上がりは他の場所に比べて著しく早い。【選択図】図３
2008237869.tif 000002
【特許請求の範囲】
【請求項１】
使用する鍋底の形状に似た形の皿状な物体で、淵に数ヶ所、中央に１ヶ所穴をあけ中央にあけた穴を上に向け山の状態で鍋の底に沈めて使用する。
【請求項２】
使用する鍋底の形状に似た形の皿状な物体で、鍋の大きさ熱源のカロリーに応じて淵に数ヶ所、中央付近に複数個の穴をあけ穴を上に向け山の状態で鍋の底に沈めて使用する。
【発明の詳細な説明】
【技術分野】
【０００１】  本考案は鍋等で麺を茹でるための補助具である。
【背景技術】
【０００２】  最近のラーメンブームによりラーメン専業店が増え従来寸胴や鍋でコンロあるいはバーナーを熱源にして麺を茹でていたのだが、麺を入れると一時的に沸騰が止まってしまい一寸多く入れると回復するまでの時間が掛かり過ぎ麺は延びた状態で茹で上がる。そこで強力な熱源を備えた茹で麺機なる物が登場して、麺を入れても沸騰する迄の立ち上がり時間が短く腰があり歯応えのしっかりした麺を茹でることが出来る様になった。しかし一般家庭ではこのような高価な物は使えず相変わらず家庭用コンロを使って鍋で茹でるに留まっている。
【発明の開示】
【発明が解決しようとする課題】
【０００３】  麺を入れて沸騰が止まってから、沸騰が回復する迄の時間を短くする。
【課題を解決するための手段】
【０００４】  本発明は使用する鍋底の形状に合わせた形の皿状な物体で淵の部分に数ヶ所穴をあけ、更に中央にも１ヶ所穴をあけこの中央の穴を山の状態で上に向け鍋の底に沈め、その上にザルを設置しこのザルの中で麺を茹でることで解決した。
【発明の効果】
【０００５】  沸騰させた鍋の中のお湯は冷たいものがほんの少し入るだけで沸騰が止み回復にはそれなりの時間がかかる。麺を茹でる時はこの回復するまでの時間が茹で上がる前にのびるという現象につながる。そこで本発明の鍋で麺を茹でるための補助具を使用することにより家庭用コンロでも腰があり歯応えのしっかりした麺を茹でることが出来、しかも非常に安価で簡単に製作出来る。
【発明を実施するための最良の形態】
【０００６】  本発明の鍋で麺を茹でるための補助具とザルを併用して、麺をこのザルの中で茹でる。このことにより麺は鍋の中央付近で茹でることが出来、麺投入により麺で冷やされた温水は隅に有る補水口を通り熱源で熱せられ沸騰水噴出口から連続的に沸騰水が吹き上がる。
【実施例】
【０００７】  本発明の鍋で麺を茹でるための補助具の中央の穴からは高温のお湯が勢い良く噴出し、その分の温水は隅にある補水口から鍋の底に入り再び熱源で熱せられて中央にあいた沸騰水噴出口から噴出する。そこで中央の沸騰水噴出口の上にザルを置き、麺をそのザルの中、即ち沸騰水噴出口の有る中央部分で茹でることにより麺で冷やされた温水は速やかに隅にある補水口を通り熱源で熱せられて再び中央の沸騰水噴出口より噴出し極めて短時間で沸騰状態が回復する。従って麺は延びる前に茹で上がり、プロ用の茹で麺機と比較して勝るとも劣ることは無い。
【図面の簡単な説明】
【０００８】
【図１】  本発明の平面図である。
【図２】  本発明の側面図である。
【図３】  本発明と鍋の断面図でありこれに温水とザルを入れたものの図面である。
【符号の説明】
１  本発明の本体
２  補水口
３  沸騰水噴出口
４  鍋
５  温水
６  ザル
７  熱源
【図１】
2008237869.tif 000003
【図２】
2008237869.tif 000004
【図３】
2008237869.tif 000005
(57)【要約】      （修正有）【課題】ブラシ部と柄部が９０度に固定された従来の一束ブラシでは清掃が困難な部位もブラシを取り替えることなく、より効果的に清掃できる器具を提供する。【解決手段】ブラシ部１と首部２を回転軸４にて回動自在に枢支する。ブラシ部１と首部２を固定せず回転軸４にて枢支し、０度、４５度、９０度等の角度で係止できる構造とする。ブラシ部１と首部２が０度の時、筆と同様の形状となり、上顎大臼歯近心の深い歯周ポケットに対し直感的に使用できるため、正確な清掃が可能となる。【選択図】図１
2008237863.tif 000002
【特許請求の範囲】
【請求項１】
角度が調整できる筆型ブラシ
【発明の詳細な説明】
【技術分野】
【０００１】  この発明は、歯周ポケットや歯間部の清掃に使用する筆型ブラシに関するものである。
【背景技術】
【０００２】  従来、歯周ポケットや歯間部の清掃に使用する一束のブラシは市場に多数あった。
【発明の開示】
【発明が解決しようとする課題】
【０００３】  これは次のような欠点があった。
（イ）  市場に出ている殆どの製品はブラシ部と首部との角度が９０度に固定されているため、持ち方によっては正しく当てることが困難な場合があった。
（ロ）  特に上顎大臼歯近心の歯周ポケットにブラシの毛先を入れる場合、ブラシの首部や柄部が歯列に当たり深く入れることが困難であった。
本発明は、これらの欠点を除くためになされたものである。
【課題を解決するための手段】
【０００４】  ブラシ部１と首部２を固定せず回転軸４にて回動自在に枢支させ、必要な角度（例えば、０度、４５度、９０度等）で係止できる構造とした。
【発明の効果】
【０００５】  本発明はブラシ部１と首部２が０度の時、筆と同様の形状となり、上顎大臼歯近心の深い歯周ポケットに対し直感的に使用できるため、正確な清掃が可能となる。
ブラシ部１と首部２を９０度にすれば、従来の清掃具と同様に使用できる。中間的角度４５度は必要に応じて使用する。
【発明を実施するための最良の形態】
【０００６】  以下、本案の実施の形態について説明する。
（イ）  ブラシ部１と首部２を回転軸４にて回動自在に枢支する。
（ロ）  ブラシ部１と首部２は０度、４５度、９０度等の角度で係止する構造とする。
本発明は以上の構成よりなる
本発明を使用する時はブラシ部１と首部２を目的に合った角度に調整し使用する。
【図面の簡単な説明】
【０００７】
【図１】  本発明の角度０度時の斜視図である。
【図２】  本発明の角度４５度時の斜視図である。
【図３】  本発明の角度９０度時の斜視図である。
【符号の説明】
【０００８】  １  ブラシ部
２  首部
３  柄部
４  回転軸
【図１】
2008237863.tif 000003
【図２】
2008237863.tif 000004
【図３】
2008237863.tif 000005
(57)【要約】      （修正有）【課題】力の弱い老人・体の不自由な人・怪我人・病人・子供等に使い易い大きさのトイレットペーパーを複数枚バラバラにならない様まとめた物を、テイッシュペーパーの様に簡単使い易くしたトイレットペーパーホルダーを提供する。【解決手段】トイレットペーパー２を１つづつ半分重ねたテイッシュペーパー式にして本体１に乗せてその上からカバー３をかぶせ、カバー３上部の開口部４よりトイレットペーパーを２を１つづつ取り出し可能にする。引き出したあとも次のトイレットペーパーが出てきてますので次に使う時も使い易いトイレットペーパーホルダーです。【選択図】図１
2008237862.tif 000002
【特許請求の範囲】
【請求項１】
特許出願番号２００６ー２４４８１２と特許出願番号２００６ー３５７４０７のトイレットペーパー  以後考案ペーパーとする  を使い易くする為のトイレットペーパーホルダーで、１つの考案ペーパーの半分に次に取り出す考案ペーパーの半分を重ねたものを複数収納したテイッシュペーパー方式にした物を、本体（１）に収納し、考案ペーパー（２）の上からカバー（３）をかぶせて、一番上の考案ペーパー（２）を開口部（４）より引き出し使用し、゛その後はテイッシュペーパー式になり、１つづつ引き出せる構造のトイレットペーパーホルダー
【発明の詳細な説明】
【技術分野】
【０００１】    トイレットペーパーホルダー
【背景技術】
【０００２】従来のロールペーパーとペーパーホルダーでは、力の弱い老人・体の不自由な人・怪我人病人等には使いにくい時がありました。
片手では思う様に使えませんでした。
【発明の開示】
【発明が解決しようとする課題】
【０００３】使い易い大きさのトイレットペーパーを複数枚重ねバラバラにならない様にまとめた物をテイッシュペーパーの様に簡単使い易くできないか。
【発明が解決するための手段】
【０００４】従来のロールペーパーとペーパーホルダーでは解決できませんのでテイッシュペーパー方式の物で１つづつ取出しそのまま使えるトイレットペーパーホルダーを考案しました。
【０００５】考案ペーパーをテイッシュペーパー式にした物を本体に収納しカバーを上からかぶせ考案ペーパーをカバー上部開口部より１つ引き出しそのまま汚れ落としや水分取りに使い、引き出し後も次の考案ペーパーが少し上に引き上げられており次に使う人にも使い易い構造のトイレットペーパーホルダー。
【０００６】カバーは本体に上からかぶせてあるだけで考案ペーパーが少なくなるとともにカバーが下がり取りやすい状態が続きます。
【０００７】考案ペーパーが無くなった時はカバーを本体から上に引き上げて外し考案ペーパーを補充でき、カバーの取り付け・取り外しが簡単で楽に出来る。
【発明の効果】
【０００８】本考案のホルダーから考案ペーパーを１つ取出し汚れ落としや水分取りにそのまま使い考案ペーパーの補充も簡単で楽である。
【０００９】テイッシュペーパーと同じ使い方のトイレットペーパーなので力の弱い老人・体の不自由な人・怪我人・病人・子供等にとても使い易いトイレットペーパーホルダーです。
【図面の簡単な説明】
【図１】  斜面図    １ー本体  ２ー考案ペーパー  ３ーカバー  ４ー開口部
【図２】  正面図
【図３】  側面図
【図４】  上面図
【図１】
2008237862.tif 000003
【図２】
2008237862.tif 000004
【図３】
2008237862.tif 000005
【図４】
2008237862.tif 000006
(57)【要約】【課題】大好きな模型等をそれに関係がある写真等で背景にし、それらを容易に差し替えることで様々な情景を作り出し、より鑑賞を楽しむことができるディスプレイ台を提供する。【解決手段】ディスプレイ台（１）の前方に足（２）を設ける。後方に２枚の透明アクリル板等（別に用意する）を同時にはめこみ直立させるための溝（３）を設け、溝部を前足（２）の長さと同じにすることで、後足も兼ねるようにする。溝（２）の幅、深さは２枚の透明アクリル板等が装着、脱着ができるようにする。２枚の透明アクリル板等の間に写真等をはさんでから、溝（３）にはめこむ。写真等がずれないように、はめこんだ２枚の透明アクリル板等の上部をクリップ等（別に用意する）でおさえる。背景となる写真等を色々と差し替えることで、様々な情景を容易に作り出すことが可能となる。【選択図】図１
2008237870.tif 000002
【特許請求の範囲】
【請求項１】
模型等を置くディスプレイ台が前方に足と後方に溝を有し、その溝に透明アクリル板等を２枚同時にはめこみ直立させることができるディスプレイ台。
【請求項２】
溝の深さが前方の足と同じ長さになるようにし、後方の足を兼ねる請求項１のディスプレイ台。
【発明の詳細な説明】
【技術分野】
【０００１】  本発明は、模型等をディスプレイする台であって、写真やイラスト等を背景とし、それら背景を容易に変更することで様々な情景を作り出すことが可能なディスプレイ台である。
【背景技術】
【０００２】  従来、子供から大人まで模型等を鑑賞して楽しむことがなされている。このとき、鑑賞をより楽しむためにガラスケースやアクリルケースに模型等を入れたり、色々な形状をしたディスプレイ台に乗せることは知られている（特許文献１参照）。
【特許文献１】特許公開２００６−２６３１５５号公報
【発明の開示】
【発明が解決しようとする課題】
【０００３】  模型等を写真やイラスト等の背景でディスプレイする際、次のような問題点があった。
従来のディスプレイケースや台の場合、模型等をディスプレイしても、同時にその模型等と関係する写真やイラスト等を背景として鑑賞を楽しむことはあまり考えられていない。それらを背景にしたとしても、ケースや台に貼り付けたり別の台を用意するなどになるため、色々と変化させることは容易ではなく、そのため情景が固定化されてしまうことも多い。貼り付ける場合は写真やイラスト等を痛めることになる。また、ディスプレイケースの場合は、その数が増えてくると収納スペースの問題が生じる。
本発明は、以上の問題点を解決し、模型等のディスプレイをそれと関係する写真やイラスト等で背景にし、それらを差し替えることで一つの模型等に対して様々な情景を容易に作りだすようになされたものである。
【課題を解決するための手段】
【０００４】  模型等を置くディスプレイ台の前方に足を設ける。後方に、透明アクリル板等を２枚同時にはめこみ直立させるための溝を設ける。溝部は前方の足と同じ長さにし、後方の足になるように設ける。２枚の透明アクリル板等の間に写真等をはさむことで背景を作り出す。
本発明は以上の構成により、模型等のディスプレイをそれと関係する写真やイラスト等で背景にし、それらを差し替えることで様々な情景を作り出すことができるディスプレイ台である。アクリル板等の装着、脱着を可能にすることで、収納スペース等の問題に対しても極めて有効である。
【発明の効果】
【０００５】  本発明を使用する毎に写真やイラスト等の差し替えが容易にできるので、一つの模型等に対して様々な情景を作り出し、鑑賞をより楽しむことが可能である。写真等を貼り付ける場合と違い、透明アクリル板等の間にはさんでいるので、差し替えのつど痛めることがない。設置、解体も容易であるため収納スペースをそれほど必要としない。
【発明を実施するための最良の形態】
【０００６】  以下、本発明の実施の形態を説明する。
（イ）プラスチック、木、ゴム等の素材からなるディスプレイ台（１）の前方に足（２）を設ける。
（ロ）後方に、２枚の透明アクリル板等（４）を同時にはめこみ直立させるための溝（３）を設け、その溝部を前方の足（２）と同じ長さになるようにし、後方の足を兼ねるようにする。
（ハ）溝（３）の幅及び深さは、２枚の透明アクリル板等（４）を直立させ、且つ装着、脱着できる寸法に設ける。
（ニ）  ２枚の透明アクリル板等（４）の間に、写真やイラスト等（５）をはさみ、前記（４）をディスプレイ台（１）にはめこむ。写真等（５）がずれないように、クリップ等（６）の止め具でアクリル板同士をおさえるようにする。例えば、厚さ２ｍｍ×横３０ｃｍ×縦３０ｃｍの２枚の透明アクリル板同士の間に、Ｌ判サイズの写真を４枚はさみ、ディスプレイ台（１）に前記透明アクリル板２枚をはめこんだ場合、アクリル板上部の一箇所をクリップでおさえれば写真がずれることはなかった。透明なクリップを用いれば、目立つこともない。
（ホ）ディスプレイ台（１）上面にも、写真やイラスト等を置き、透明アクリル板等ではさめば、Ｌ字型の背景にすることも可能である。また、ディスプレイ台（１）を前後左右につなげ、それに合うように透明アクリル板等を大きくすれば、ディスプレイの空間を広げることもできる。
本発明は以上の構成よりなる。
本発明を使用する場合は、ディスプレイ台（１）の他に２枚の透明アクリル板等とクリップ等を用意する。２枚の透明アクリル板等（４）の間に写真やイラスト等（５）をはさんでから、前記（４）をディスプレイ台（１）の溝（３）にはめこむ。溝部が前記（１）の後方の足を兼ねることで形状をよりシンプルなものにしている。
【図面の簡単な説明】
【０００７】
【図１】本発明の斜視図
【図２】本発明の断面図
【図３】本発明の使用状態拡大図
【符号の説明】
【０００８】  （１）ディスプレイ台、（２）前足、（３）溝、（４）２枚の透明アクリル板等、（５）写真やイラスト等、（６）クリップ等の止め具、（７）模型等
【図１】
2008237870.tif 000003
【図２】
2008237870.tif 000004
【図３】
2008237870.tif 000005